【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
演出を出力可能な演出玩具であって、
所定の空間が形成される本体部と、前記所定の空間内で可動される可動部と、前記本体部に設けられ、前記可動部に向けて発光する発光部と、を備え、
前記可動部は、一方の可動阻止位置まで可動する一方、他方の可動阻止位置に向けて段階的に可動する演出玩具。
【請求項２】
請求項１において、
前記一方の可動阻止位置は、可動範囲内にて前記発光部から最も離間した位置である一方、前記他方の可動阻止位置は、可動範囲内にて前記発光部に最も接近した位置である演出玩具。
【請求項３】
請求項１または請求項２において、
前記可動部の可動を操作する操作部をさらに備える演出玩具。
【請求項４】
請求項３において、
前記操作部は、第１の操作部と第２の操作部とからなり、前記第１の操作部は、前記本体部に設けた装着部に対し着脱可能である演出玩具。
【請求項５】
請求項４において、
前記可動部は、前記装着部に前記第１の操作部を装着することにより、前記一方の可動阻止位置まで可動する演出玩具。
【請求項６】
請求項４または請求項５において、
前記可動部は、前記第２の操作部を操作する毎に、前記他方の可動阻止位置に向けて段階的に可動する演出玩具。
【請求項７】
請求項１ないし請求項６のいずれか一項において、
前記可動部の可動は、前記所定空間内における上下方向の移動であり、
前記可動部による前記一方の可動阻止位置までの可動は、上方向の移動である一方、前記可動部による前記他方の可動阻止位置までの可動は、下方向の移動である演出玩具。
【請求項８】
請求項４ないし請求項６のいずれか一項において、
前記本体部は、発音部をさらに備え、
前記発音部は、前記第２の操作部を操作する毎に、第１の音を発する演出玩具。
【請求項９】
請求項８において、
前記発音部は、前記第２の操作部の操作により、前記可動部が前記他方の可動阻止位置に位置した際に、前記第１の音とは異なる第２の音を発する演出玩具。
【請求項１０】
請求項４ないし請求項６のいずれか一項において、
前記第１の操作部は、複数種用意され、
前記第１の操作部の前記装着部への装着により、前記第１の操作部の種別毎に異なる演出を出力する演出玩具。
【請求項１１】
請求項１ないし請求項１０のいずれか一項において、
前記本体部の少なくとも一部は、所定の空間における発光を視認可能なように透明又は半透明に形成されている演出玩具。
【請求項１２】
請求項１ないし請求項１１のいずれか一項において、
前記可動部には、前記発光部から発光された光を反射させる反射面が形成され、
前記可動部における前記反射面は、少なくとも一部が曲面に形成されている演出玩具。
【請求項１３】
請求項１ないし請求項１２のいずれか一項において、
前記本体部は、香水瓶を模した形状に形成されている演出玩具。
【手続補正２】
【補正対象書類名】明細書
【補正対象項目名】０００４
【補正方法】変更
【補正の内容】
【０００４】
本発明は、遊戯性をさらに高めることが可能な演出玩具を提供することを目的とする。
【手続補正３】
【補正対象書類名】明細書
【補正対象項目名】０００５
【補正方法】変更
【補正の内容】
【０００５】
本発明に係る演出玩具は、少なくとも所定の発光により演出を行う演出玩具であって、所定の空間が形成される本体部と、所定の空間内で可動される可動部と、前記可動部に向けて発光する発光部と、前記本体部に設けた装着部に対し着脱可能であり前記可動部の可動を操作する第１の操作部と、さらに第２の操作部と、を備え、前記可動部は、前記装着部に前記第１の操作部を装着することにより、一方の可動阻止位置まで可動する。また、本発明に係る演出玩具は、所定の空間が形成される本体部と、前記所定の空間内で可動される可動部と、前記本体部に設けられ、前記可動部に向けて発光する発光部と、を備え、前記可動部は、一方の可動阻止位置まで可動する一方、他方の可動阻止位置に向けて段階的に可動する。
【手続補正４】
【補正対象書類名】明細書
【補正対象項目名】０００６
【補正方法】変更
【補正の内容】
【０００６】
また、本発明に係る演出玩具は、前記一方の可動阻止位置は、可動範囲内にて前記発光部から最も離間した位置である一方、前記他方の可動阻止位置は、可動範囲内にて前記発光部に最も接近した位置であってもよい。
【手続補正５】
【補正対象書類名】明細書
【補正対象項目名】０００７
【補正方法】変更
【補正の内容】
【０００７】
また、本発明に係る演出玩具は、前記可動部の可動を操作する操作部をさらに備えてもよい。
【手続補正６】
【補正対象書類名】明細書
【補正対象項目名】０００８
【補正方法】変更
【補正の内容】
【０００８】
また、本発明に係る演出玩具は、前記操作部は、第１の操作部と第２の操作部とからなり、前記第１の操作部は、前記本体部に設けた装着部に対し着脱可能であってもよい。
【手続補正７】
【補正対象書類名】明細書
【補正対象項目名】０００９
【補正方法】変更
【補正の内容】
【０００９】
また、本発明に係る演出玩具は、前記可動部は、前記装着部に前記第１の操作部を装着することにより、前記一方の可動阻止位置まで可動してもよい。
【手続補正８】
【補正対象書類名】明細書
【補正対象項目名】００１０
【補正方法】変更
【補正の内容】
【００１０】
また、本発明に係る演出玩具は、前記可動部は、前記第２の操作部を操作する毎に、前記他方の可動阻止位置に向けて段階的に可動してもよい。
【手続補正９】
【補正対象書類名】明細書
【補正対象項目名】００１１
【補正方法】変更
【補正の内容】
【００１１】
また、本発明に係る演出玩具は、前記可動部の可動は、前記所定空間内における上下方向の移動であり、前記可動部による前記一方の可動阻止位置までの可動は、上方向の移動である一方、前記可動部による前記他方の可動阻止位置までの可動は、下方向の移動であってもよい。
【手続補正１０】
【補正対象書類名】明細書
【補正対象項目名】００１２
【補正方法】変更
【補正の内容】
【００１２】
また、本発明に係る演出玩具は、前記本体部は、発音部をさらに備え、前記発音部は、前記第２の操作部を操作する毎に、第１の音を発してもよい。
【手続補正１１】
【補正対象書類名】明細書
【補正対象項目名】００１３
【補正方法】変更
【補正の内容】
【００１３】
また、本発明に係る演出玩具は、前記発音部は、前記第２の操作部の操作により、前記可動部が前記他方の可動阻止位置に位置した際に、前記第１の音とは異なる第２の音を発してもよい。
【手続補正１２】
【補正対象書類名】明細書
【補正対象項目名】００１４
【補正方法】変更
【補正の内容】
【００１４】
また、本発明に係る演出玩具は、前記第１の操作部は、複数種用意され、前記第１の操作部の前記装着部への装着により、前記第１の操作部の種別毎に異なる演出を出力してもよい。
【手続補正１３】
【補正対象書類名】明細書
【補正対象項目名】００１５
【補正方法】変更
【補正の内容】
【００１５】
また、本発明に係る演出玩具は、前記本体部の少なくとも一部は、所定の空間における発光を視認可能なように透明又は半透明に形成されていてもよい。
【手続補正１４】
【補正対象書類名】明細書
【補正対象項目名】００１６
【補正方法】変更
【補正の内容】
【００１６】
また、本発明に係る演出玩具は、前記可動部には、前記発光部から発光された光を反射させる反射面が形成され、前記可動部における前記反射面は、少なくとも一部が曲面に形成されていてもよい。
【手続補正１５】
【補正対象書類名】明細書
【補正対象項目名】００１７
【補正方法】変更
【補正の内容】
【００１７】
また、本発明に係る演出玩具は、前記本体部は、香水瓶を模した形状に形成されていてもよい。